(57)【要約】【課題】従来の方法では温度ヒューズを熱交換器に固定し空焚き時にその熱により温度ヒューズを切っていた。温水洗浄装置の小型化により熱交換器も小型化になり内部のヒーターと熱交換器の壁の距離が狭くなっている。これにより今までの方法ではすばやく温度ヒューズを切ることが困難となってきている。【解決手段】ヒーターに囲まれた中央部に温度ヒューズを配置することで温度ヒューズのまわりを熱源で囲むことになるので今までよりも温度ヒューズへ熱が集中する事により故障時に素早く温度ヒューズを切ることが出来る。【選択図】  図２
2005002727.tif 000002
【特許請求の範囲】
【請求項１】
便器に設置され、局部洗浄用ノズルを備え、前記局部洗浄用ノズルに温水を供給する温水タンクを備えた温水洗浄装置において、前記温水タンク底面に外観略凹形状の筒状の突起を前記温水タンク内に突設させ、その中に温度過昇防止用の温度ヒューズを取り付け、前記温水タンク内に配置される温水ヒータは前記突起を取り巻くように前記温水タンク底面と略平行に配置された略コの字状であることを特徴とする温水洗浄装置。
【請求項２】
請求項１に記載の温水洗浄装置において筒状の突起がタンクと一体になっている事を特徴とする温水洗浄装置。
【請求項３】
請求項１〜２のいずれか記載の温水洗浄装置において、前記筒状の突起は着脱可能に前記温水タンクに装着されている事を特徴とする温水洗浄装置。
【請求項４】
請求項１〜３のいずれか記載の温水洗浄装置において、前記筒状の突起の材質を難燃剤にした事を特徴とする温水洗浄装置。
【請求項５】
請求項１〜４のいずれか記載の温水洗浄装置において、前記筒状の突起内に前記温度ヒューズを挿入する際に、隙間を熱伝導の良いグリス等で埋めた事を特徴とする温水洗浄装置
【発明の詳細な説明】
【０００１】
【発明の属する技術分野】
本発明は、便器に設置され、局部洗浄用ノズルを備え、この局部洗浄用ノズルに温水を供給する温水タンクを備えた温水洗浄装置。
【０００２】
【従来の技術】
従来、空焚き防止用の温度ヒューズは熱交換器に固定され故障等で内部の水が無くなりヒーター−により熱交換器本体から発火、火災になる事を防ぐ為につけられている。これにより故障時の熱交換器からの発火を防いでいる。（例えば、特許文献１参照。）
【０００３】
【特許文献１】
特開２０００−３０５８１号公報（第３図）
【０００４】
【発明が解決しようとする課題】
ところで従来の方法では温度ヒューズを熱交換器に固定し空焚き時にその熱により温度ヒューズを切っていた。しかし近年温水洗浄装置の小型化により熱交換器も小型化になり内部のヒーターと熱交換器の壁の距離が狭くなっている。これにより今までの方法ではすばやく温度ヒューズを切ることが困難となってきている。
本発明はこれらを考慮した物で、ヒーターに囲まれた中央部に配置することで温度ヒューズのまわりを熱源で囲むことになるので今までよりも温度ヒューズへ熱が集中する事により故障時に素早く温度ヒューズを切ることが出来る温水洗浄装置の提供を目的とする。
【０００５】
【課題を解決するための手段及び作用・効果】
前記目的に沿う本発明に係る請求項１の温水洗浄装置は、便器に設置され、局部洗浄用ノズルを備え、この局部洗浄用ノズルに温水を供給する温水タンクを備えた温水洗浄装置において、温水タンク底面中央部に外観略凹形状の筒状の突起を前記温水タンク内に突設させ、その中に温度過昇防止用の温度ヒューズを取り付け、温水タンク内に配置される温水ヒータは前記突起に取り巻くように温水底面と略平行に配置されたコの字であることを特徴としている。これによりヒーター内面全周より熱を吸収する事ができ、よりはやく温度ヒューズを切ることが出来る。
【０００６】
本発明に係る請求項２の温水洗浄装置は、請求項１に加え筒状の突起がタンクと一体になっている事を特徴とする温水洗浄装置。これにより部品点数を減らす事ができる。
【０００７】
本発明に係る請求項３の温水洗浄装置は、請求項１から２のいずれかに加え、前記筒状の突起は着脱可能に前記温水タンクに装着されている事を特徴とする温水洗浄装置。
これにより、故障時の温度ヒューズ部のみの取り替えが簡単におこなうことができる。
【０００８】
本発明に係る請求項４の温水洗浄装置は、請求項１から３のいずれかに加え、前記筒状の突起の材質を難燃剤にした事を特徴とする温水洗浄装置。
これにより、温度ヒューズ溶断前にケースが発火することを防ぐことができる。
【０００９】
本発明に係る請求項５の温水洗浄装置は、請求項１から４のいずれかに加え、前記筒状の突起内に前記温度ヒューズを挿入する際に、隙間を熱伝導の良いグリス等で埋めた事を特徴とする温水洗浄装置
これにより、温度ヒューズへの熱の伝わりをよくする事ができる。
【００１０】
【発明実施の形態】
続いて、添付した図面、参照しつつ、本発明を具体化した実施の形態につき説明し、本発明の理解に供する。
ここに、図１は本発明の実施の形態に係わる温水洗浄装置の図を示したものである。
【００１１】
図１に示すように、本発明の実施の形態に係わる温水洗浄装置１０は、便器１１の上面に設置された温水洗浄装置本体１２と、温水洗浄装置本体１２の中央に局部洗浄用のノズルユニット１３と、熱交換器ユニット１４とを備えている。なお、温水洗浄装置本体１２には従来例と同様に、図示しない温風乾燥手段、脱臭手段が内蔵されている。
【００１２】
熱交換器ユニット１４には図２に示すように温度ヒューズを挿入する収納突起２０をヒーター中央部にタンクと一体で配置し、その中に温度ヒューズを固定している。この突起は請求項３のように着脱可能でもよい。図３に温度ヒューズ固定方法の詳細を示す。温度ヒューズ１５をタンク下部突起内へ挿入し、隙間にヒートシンカー１６を入れて温度ヒューズを固定する。また図４に示すように１７の温度ヒューズケースはタンクから外す事ができるようにしてもよい。ウォシュレットの故障等で熱交換器のヒーターが暴走した場合でも温度ヒューズ１５を素早く切ることが出来て安全に機能を停止するようにしている。またケースの着脱が可能になることで温度ヒューズを簡単に取り替える事ができる。
【００１３】
本発明は前記した実施の形態に限定されるものではなく、本発明の要旨を変更しない範囲での変更は可能である。
【００１４】
【発明の効果】
今回ヒーターの中央部に温度ヒューズを配置する事で周方向全てからの熱をうけやすい場所に温度ヒューズを置くことで、素早く温度ヒューズを切ることが出来るようになった。特にこれからは熱交換器の小型化において、熱源とタンクの距離が近くなるので故障時は素早く温度ヒューズを切らなければならないので今回の方法は有効な手段である。又、温度ヒューズケースを難燃剤にする事でタンク内部での発火を防ぐことが出来きる。これにより熱交換器の最終安全装置としての信頼性もあがる。
【図面の簡単な説明】
【図１】本発明の実施の形態に係る温水洗浄装置の（Ａ）透視図、（Ｂ）外観図である。
【図２】本発明の実施の形態に係る熱交換器底部の斜視図である。
【図３】本発明の実施の形態に係る熱交換器温度ヒューズ固定部の構造を示す断面図である。
【図４】本発明の別の実施の形態に係る着脱式の熱交換器温度ヒューズ固定部を示す図である。
【符号の説明】
１０：温水洗浄装置
１１：便器
１２：温水洗浄装置本体
１３：ノズルユニット
１４：熱交換器ユニット
１５：温度ヒューズ
１６：ヒートシンカー
１７：温度ヒューズケース
２０：収納突起
【図１】
2005002727.tif 000003
【図２】
2005002727.tif 000004
【図３】
2005002727.tif 000005
【図４】
2005002727.tif 000006